(57)【要約】      （修正有）【課題】床面に係合孔を設けずに、所望の位置で固定することができる移動式パネルを提供する。【解決手段】複数の移動式パネル２の下端辺の周囲を囲う下部フレーム８内の略中央部に大リンク板材１２と小リンク板材１３を各中間部で交差させて軸着したＸ字状のリンク機構１１を設け、小リンク板材１３の上端を固定リンク軸１３ａによって下部フレーム８に軸着し、大リンク板材１２の上端をリンク軸１２ａによってシャフト軸１４の先端部に軸着し、シャフト軸１４の回転により、リンク機構１１の上端の２つのリンク軸間の距離を伸縮させてリンク機構１１の下端に連結する圧接フレーム９を昇降自在とし、さらにリンク機構１１と圧接フレーム９間を連結するリンク軸の左右に設けた一対の引張バネ１８で下部フレーム８と圧接フレーム９を連結させて、圧接フレーム９を床面の傾斜に対応して傾動自在に圧接させた。【選択図】図１
2006193920.tif 000002
【特許請求の範囲】
【請求項１】
室内の天井部に固着したレールに縣吊され走行移動自在な複数枚の移動式パネルを床面に固定させる構造において、前記パネルの下端辺の周囲を囲う下部フレーム内の略中央部に大リンク板材と小リンク板材を各中間部で交差させて軸着したＸ字状のリンク機構を設け、小リンク板材の上端を固定リンク軸によって下部フレームに軸着し、大リンク板材の上端をリンク軸によってシャフト軸の先端部に軸着し、シャフト軸の回転により、リンク機構の上端の２つのリンク軸間の距離を伸縮させてリンク機構の下端に連結する圧接フレームを昇降自在とし、さらにリンク機構と圧接フレーム間を連結するリンク軸の左右に設けた一対の引張バネで下部フレームと圧接フレームを連結させて、圧接フレームを床面の傾斜に対応して傾動自在に圧接させるようにしたことを特徴とする移動式パネルの固定構造。
【請求項２】
前記圧接フレームの下端面に弾性ゴムシートを貼着し、圧接フレームを床面に押し付けた時に、該ゴムシートを床面に圧接させることによって吊下げ移動式のパネルを床面に固定させるようにしたことを特徴とする請求項１に記載の移動式パネルの固定構造。
【発明の詳細な説明】
【技術分野】
【０００１】
本発明は、建物の室内空間の間仕切り壁、パーティションを移動自在とした移動式間仕切り壁に関し、特に間仕切り壁の下辺部を床面に固定する構造に関する。
【背景技術】
【０００２】
従来より、建物内のオフィス、集会所、宴会場、講堂、会議室等の室内空間をパーティションボード等の間仕切り壁によって間仕切りし、プライバシーを確保すると共に、騒音を遮断できる機能的な快適空間を確保してきた。
【０００３】
さらに、使用目的の変化に対応した大きさの室内空間スペースに容易に変更できるように、間仕切り用のパーティションボードをスライド移動可能にして隅部位置に収納可能にして、複数の小空間を1つの大空間として使用できるようにしたものも普及している。
【０００４】
このような移動式パーティションを床面に固定する構造としては、パネル下端部に設けたフランス落し軸を、床面に設けた孔部内に挿入して固定する固定方法が知られている。
【０００５】
例えば、特開平５−１００６２号公報には、天井等に設けられたハンガーレールに多数枚のパネルを移動可能に吊下支持し、ハンガーレールに沿って各パネルを召し合わせた状態で同パネルを床面に固定する接床装置を作動させて接床框を床面に圧接後、丸落としを床面に設けた係合孔に係合させる間仕切りパネルの固定装置が開示されている。尚、本公報には、接床框を昇降させるに際しリンク機構を用る旨の記載があるが、該リンク機構は接床框を昇降させるために設けたものではなく、接床框を水平に保ちながら昇降させるために設けたものである（特許文献１）。
【０００６】
また、特開平８−４２２３８号公報には、大きな部屋を小さな部屋に仕切る移動間仕切りの縁部材に、前記大きな部屋の内側に接する接圧部材を伸縮可能に設けると共に、この接圧部材を自動的に伸縮させる駆動手段を前記移動間仕切り内部に設置したことを特徴とする移動間仕切りの接圧装置が開示されている（特許文献２）。
【特許文献１】特開平５−１００６２号公報
【特許文献２】特開平８−４２２３８号公報
【発明の開示】
【発明が解決しようとする課題】
【０００７】
特許文献１に記載の間仕切りパネルの固定装置は、操作摘みを上下方向に移動操作することによって、上下に移動するラックとこれに噛み合う歯車を介して接床框を床面に当接し、この段階で丸落し部分のみを床面に設けた係合孔内を下降させて係合するものであるため、接床框が床面に対して押圧固定するものではなく、床面との固定は丸落しと係合孔の係合によるものであり、床面にパネルの丸落しと係合する係合孔を設けなければならない。このため、係合孔を設けない位置でパネルを固定しようとしても、丸落しのみが床面を押圧することになり、接床框を床面に十分に固定させることはできない。
【０００８】
また、接床框を昇降させるラックと歯車からなる機構と、接床框を水平姿勢で下降させるリンク機構と、丸落しと係合孔の係合からなるもので、機構が複雑である。
【０００９】
さらに、室内の床面パネルは、必ずしも水平ではなく、僅かながら傾斜していることがあり、このような場合パネルを水平に下降させると隙間ができ、段差ができるケースがある。
【００１０】
また、特許文献２に記載の移動間仕切りの接圧装置については、移動間仕切り壁に設けた接圧部材を各移動間仕切り壁内に設けたシリンダーや駆動モーター等によって自動的に昇降させて床面の敷居等に押し付け固定するものであるため、エア配管や電気配線も必要となり、内部構造が複雑となる。
【００１１】
また、移動間仕切りが不透明なパネルの場合には、接圧部材を駆動するシリンダー等の駆動部分が透視できないため問題ないが、透明、半透明、または着色したガラス板等で構成したパネルとする場合には、駆動シリンダー等の駆動部分を露出させないようにしなければならないため下部金属フレーム枠の高さが高くなり、パネルを前記ガラス板のみで構成する場合には、ガラス板部分の面積が小さくなってしまう。
【課題を解決するための手段】
【００１２】
本発明は、上記問題点、すなわち、シンプルな構造にして、それぞれ移動自在な複数枚の移動式パネルを、床面に係合孔を設けずに、所望の位置で固定することができ、床面に僅かな傾斜があっても、床面の傾斜に合わせてパネルを密着させることができ、移動式パネルをガラス板で構成する場合であっても、ガラス板部分の大面積化が実現できることを目的とする。
【００１３】
すなわち、本発明は、室内の天井部に固着したレールに縣吊され走行移動自在な複数枚の移動式パネルを床面に固定させる構造において、前記パネルの下端辺の周囲を囲う下部フレーム内の略中央部に大リンク板材と小リンク板材を各中間部で交差させて軸着したＸ字状のリンク機構を設け、小リンク板材の上端を固定リンク軸によって下部フレームに軸着し、大リンク板材の上端をリンク軸によってシャフト軸の先端部に軸着し、シャフト軸の回転により、リンク機構の上端の２つのリンク軸間の距離を伸縮させてリンク機構の下端に連結する圧接フレームを昇降自在とし、さらにリンク機構と圧接フレーム間を連結するリンク軸の左右に設けた一対の引張バネで下部フレームと圧接フレームを連結させて、圧接フレームを床面の傾斜に対応して傾動自在に圧接させるようにしたことを特徴とする移動式パネルの固定構造である。
【００１４】
あるいは、本発明は、前記圧接フレームの下端面に弾性ゴムシートを貼着し、圧接フレームを床面に押し付けた時に、該ゴムシートを床面に圧接させることによって吊下げ移動式のパネルを床面に固定させるようにしたことを特徴とする上述の移動式パネルの固定構造である。
【発明の効果】
【００１５】
本発明により、それぞれ移動自在な複数枚のガラス板で構成した間仕切り壁のそれぞれを独立して移動できるので、移動パーティションの所望のいずれか一部のみ、または全部をオープンまたはクローズ状態とすることができる。
【００１６】
また、移動パーティションの下端に設けた移動式パネルを床面に固定する場合には、床面に係合孔を設けず、圧接フレームを床面に押し付けるだけで固定させるので、所望の位置で固定することができる。
【００１７】
さらに、下部フレームは、その略中間部でリンク機構に連結し、その両側に引張バネを設けているので、圧接フレームは傾動自在であり、床面に押圧したときに床面が１〜２度程度未満のわずかな角度で傾斜していたとしても、床面の傾斜角度に対応して押圧し、圧接フレームは床面に対し隙間無く密着させることができる。床面に僅かな傾斜があっても、床面の傾斜に合わせてパネルを密着させることができ、
【発明を実施するための最良の形態】
【００１８】
図５、図６に示すように、建物の室内の間仕切り壁であるパーティション１を設置する部分の天井に移動式パネル２の移動用のレール３と、前記移動式パネル２を収納するための収納スペース２１を前記レール３の片側端部近傍となる室内隅部に配設した。
【００１９】
また、前記レール３に沿って摺動かつ走行自在な吊下金具６より吊下ボルト７を垂下させ、該吊下ボルト７の下端に支持金具４が固定され、前記の各移動式パネル２、２、・・の上端部に設けた穿孔部に挿通したボルトとナットの締付からなる支持金具４によって吊下げ支持するものであり、移動式パネル２、２、・・はすべて同一レール３上を移動する。
【００２０】
本発明は、このような室内の天井部に固着したレールに縣吊され走行移動自在な移動式パネル２の下端部を床面に固定する構造である。
【００２１】
図１、図２は、本発明の移動式パネルの圧接フレームの縦断面図であり、それぞれ面方向と厚み方向からみた固定前の縦断面図であり、図３、図４は、本発明の移動式パネルの圧接フレームの縦断面図であり、それぞれ面方向と厚み方向からみた固定後の縦断面図である。
【００２２】
図１に示すように、パネルの下端辺全辺にわたって、下端辺の周囲を囲うようにして、図２に示すような縦断面がＨ型形状の下部フレーム８の上端側開口部内に介装部材を介してガラス板、樹脂板や化粧板等のパネルを装着し、該下部フレーム８の下端側の開口部内に断面略コ字状の圧接フレーム９を昇降自在に設け、該圧接フレーム９の開口部は上方に向けた状態とした。
【００２３】
該圧接フレーム９の上昇時は、図１、図２に示すように下部フレーム８内に完全に収納された状態となり、該圧接フレーム９を下降させた時は、図３、図４に示すように下部フレームの下端開口部から突出し、該圧接フレーム９を床面に当接させた状態とすることができる。
【００２４】
圧接フレーム９の下端面は、ほぼフラット面を有しており、該フラット面には弾性ゴムシート１０を貼着して、圧接フレーム９を下降させて床面に押し付けていくと、パネルは吊下げ状態から床面での自立状態となるが、パネルの自重によって該ゴムシート１０を圧縮変形させることになり、これによって移動式パネル２を床面に固定させることができる。
【００２５】
前記圧接フレーム９を昇降させ、かつ降下状態で床面に押圧する手段としては、前記下部フレーム８の内部に、リンク機構１１を設け、パネル２の縦側端面部の操作端１６より着脱自在なハンドル（図示せず）を用いて、リンク機構に軸着したシャフト軸１４を回転させて、リンク機構の下端部に軸着された圧接フレーム９を昇降させて、圧接フレーム９を床面５に押圧させる機構を用いる。
【００２６】
前記リンク機構１１は、板状の大リンク板材１２と小リンク板材１３を主とした構成部材とし、各板材１２、１３の中間部近傍をＸ字状に交差させ、重ね合わせて軸部１３ｂで軸着したものである。
【００２７】
前記小リンク板材１３の上端は、下部フレーム８に取付部材１７を介して固着した固定シャフト１５に固定リンク軸１３ａによって軸着されている。
【００２８】
また、大リンク板材１２の上端は水平方向に移動自在なシャフト軸１４の先端にリンク軸１２ａによって軸着され、下端は、圧接フレーム９と軸部１２ｂで軸着している。
【００２９】
前記シャフト軸１４は、下部フレーム８の縦側端面部より底辺に沿って水平方向に設けられ、下部フレーム８の中央部近傍位置にて前記固定シャフト１５と螺着している。
【００３０】
さらに、前記シャフト軸１４は、下部フレーム８の縦側端面部より突出しない位置で、シャフト軸１４の端部に操作端１６が設けられ、該操作端１６に着脱自在なハンドルを取り付けてシャフト軸１４を回転させれば、リンク軸１２ａの位置が固定リンク軸１３ａ側に移動し、固定リンク軸１３ａとリンク軸１２ａ間の距離が狭まって、大リンク板材１２と小リンク板材１３が起立し、大リンク板材１２の下端部に軸着された圧接フレーム９を昇降させることができ、これにより圧接フレーム９を床面５に押圧させることができる。
【００３１】
さらに下部フレーム８と圧接フレーム９間に一対の引張バネ１８、１８を設けた。引張バネ１８、１８の位置は、大リンク板材１２と圧接フレーム９との連結軸部１２ｂよりそれぞれ長手方向の両端方向に向けてほぼ均等の距離にほぼ同程度の引張力を有するように設けるのが望ましく、これによって、前記圧接フレームをほぼ水平に保つことができる。
【００３２】
前記圧接フレーム９の下端面には肉厚の弾性ゴムシート１０を貼着し、圧接フレーム９を床面に押し付けた時に、該ゴムシート１０を床面に圧接させることによってパネルを床面に固定させることができる。
【００３３】
前記リンク機構１１は、シャフト軸１４の回転による固定シャフト１５との螺合によって、大リンク板材１２と小リンク板材１３の各上端部の固定リンク軸１３ａとリンク軸１２ａ間の距離を広げたり、狭めたりして圧接フレーム９を昇降させるものであるので、操作端１６より図示しないハンドルを取り外しても、圧接フレーム９が自重や引張バネ等の力によって昇降することはない。
【００３４】
下部フレーム９は、その略中間部の一箇所でリンク機構１１の大リンク板材１２の下端部のリンク軸に連結し、該リンク軸の両側の略均等位置に引張バネ１８、１８を設けているので、圧接フレーム９は傾動自在であり、床面に押圧したときに床面が１〜２度程度未満のわずかな角度で傾斜していたとしても、床面の傾斜に対応して押圧し、圧接フレームは床面に対し隙間無く密着させることができる。
【００３５】
前記圧接フレーム９の床面５への押圧を解除したい場合には、前記下部フレーム８の縦側端面部の操作端１６に着脱自在なハンドル（図示せず）を取付け、リンク機構に軸着したシャフト軸１４を逆回転させて、リンク機構の下端部に軸着された圧接フレーム９を上昇させれば良い。
【００３６】
前記圧接フレーム９を床面へ押圧したり、解除したりする場合には、前記下部フレーム８の縦側端面部の操作端１６に着脱自在なハンドル（図示せず）を取付けなければならないため、操作端１６の位置は、下部フレームの収納スペース側に面した側端面に設け、さらにパネル２の圧接フレーム９の押圧、または解除を1枚づつ行う必要がある。
【００３７】
すなわち、室内をパネル２によって仕切り、間仕切り壁１を形成する場合には、間仕切り壁１としてのパネル２を所定位置に移動後、パネル２の圧接フレーム９を下降させて床面に圧接させる。
【００３８】
床面に圧接させた前記圧接フレーム９の押圧を解除する場合は、間仕切り壁１として押圧固定されたパネル２の収納スペース２１に近い側のパネル２よりその圧接フレーム９の床面５への押圧を解除し、収納スペース２１内への移動収納を一枚づつ行う。
【００３９】
以上、好適な実施の形態について述べたが、本発明はこれに限定されるものではなく種々の応用が考えられる。
【００４０】
尚、本発明で使用するパネル２としては、ガラス板、樹脂板、あるいは合板等が対象であり、下部フレーム８、および圧接フレーム９は、アルミニウム、あるいはステンレス鋼等の金属製とするのが良い。
【００４１】
移動式パネル２の下部フレーム８より圧接フレーム９を下降させる場合に、圧接フレーム９が床面に当接した後、さらに圧接フレーム９を下降させようとすると、パネルは吊下げ状態から床面での自立状態となるため、床面からの反発力によって吊下げ支持されているパネル２自体を持上げてしまうのでパネルの自重によって該ゴムシート１０を圧縮変形させることができ、通常、パネル２の自重により圧接フレーム９の下面に貼着したゴムシート１０が圧縮変形し、パネル２が床面に固定される。
【００４２】
移動式パネル２と床面との固定は、圧接フレーム９を床面に押し付けて行えば所望位置で固定できるが、特に、全ての移動式パネルを用いて室内を完全に仕切る場合には、全パネルを配設後、ドア付きのパネルに隣接するパネルだけにフランス落しを用いてドア側にパネル２がずれないようにするのが良い。
【００４３】
さらには、ドアを有したパネル２とは反対側のレールの端部側に配設したパネル２についてもフランス落し等を設け、床面に設けた孔部に落とし込んで固定させ、圧接フレームを床面に圧接するだけで固定したパネルを挟み込むようにすると良い。
【００４４】
次いで、本発明の移動式パネル２の床面５への固定方法について述べる。
【００４５】
図５、図６に示すように、建物の室内の間仕切り位置端部に配設した収納スペース２１内に格納された複数枚の移動式パネル２、２、・・より、天井面に設けたレール３に沿って吊下金具６及び支持金具４を介してガラス板等の移動式パネル２、２、・・を吊下支持し、レール３の下部の所望の間仕切り位置に移動式パネル２、２、・・を移動させる。
【００４６】
各移動式パネル２は、収納スペース２１内での格納時、およびレール３に沿って移動させる時は、前記断面Ｈ字状の下部フレーム８の下端側開口部内に圧接フレーム９を収納した状態で行う。
【００４７】
室内をパネル２によって仕切り、間仕切り壁１を形成する場合には、間仕切り壁１としてのパネル２を収納スペース２１内より一枚づつ取り出し、レール３に沿って吊下げ移動させ所定位置にて停止させた後、該パネル２の下部フレーム８の縦側面に設けた操作端１６に着脱自在な図示しないハンドルを取付け、該ハンドルによってシャフト軸１４を正回転させてリンク機構１１に連結した圧接フレーム９を下降させて、床面５に圧接させる。
【００４８】
前記パネル２の床面への固定が完了した後、ハンドルを取外し、次のパネル２を収納スペース２１内より取り出し、順次移動させ、床面５へ固定する。
【００４９】
また、収納スペース２１内の全パネル２、２・・を用いて室内を完全に仕切る場合は、全パネル２、２・・を配設後、ドア付きのパネル２に隣接するパネル２に設けたフランス落し１９を床面５の孔部内に落とし込んで固定し、該隣接するパネル２がドア側のパネルにずれ込んだ位置とならないようにするのが望ましい。
【００５０】
本発明においては、移動式パネル２をレール３を敷設した所望の位置で固定できるが、移動式パネル２の全てを用いて室内を完全に仕切る場合には、パネル２を1枚配設後、パネル２を床面に固定していく。
【００５１】
パネル２によって２つの空間に間仕切りされた室内を1つの空間に戻す場合、すなわち、床面５に圧接させた前記圧接フレーム９の押圧を解除する場合は、間仕切り壁１として押圧固定されたパネル２の収納スペース２１に近い側のパネル２より順次その圧接フレーム９の床面５への押圧を解除し、収納スペース２１内への移動収納を一枚づつ行う。
【００５２】
すなわち、パネル２の下部フレーム８の縦側面に設けた操作端１６に着脱自在な図示しないハンドルを取付け、該ハンドルによってシャフト軸を逆回転させてリンク機構に連結した圧接フレーム９を上昇させて、床面への圧接を解除する。
【００５３】
前記パネル２の圧接フレーム９を上昇させて床面５との固定が解除された後、ハンドルを取外し、該パネル２をレール３に沿って吊下げ移動させ収納スペース２１内に一枚づつ収納し、次のパネル２の床面５との固定を解除させて収納スペース２１内に順次移動させ、収納する。
【図面の簡単な説明】
【００５４】
【図１】本発明の移動式パネルの長手方向からみた固定構造の固定前の縦断面図。
【図２】本発明の移動式パネルの厚み方向からみた固定構造の固定前の縦断面図。
【図３】本発明の移動式パネルの長手方向からみた固定構造の固定後の縦断面図。
【図４】本発明の移動式パネルの厚み方向からみた固定構造の固定後の縦断面図。
【図５】本発明の移動式パネルの全体正面図。
【図６】本発明の移動式パネルの全体平面図。
【符号の説明】
【００５５】
１          パーティション（間仕切り壁）
２          パネル
３          レール
４          支持金具
６          吊下げ金具
７          吊下げボルト
８          下部フレーム
９          圧接フレーム
１０          ゴムシート
１１          リンク機構
１２          大リンク板材
１２ａ        リンク軸
１３          小リンク板材
１３ａ        固定リンク軸
１４          シャフト軸
１５          固定シャフト軸
１６          操作端
１８          引張バネ
１９          フランス落し
【図１】
2006193920.tif 000003
【図２】
2006193920.tif 000004
【図３】
2006193920.tif 000005
【図４】
2006193920.tif 000006
【図５】
2006193920.tif 000007
【図６】
2006193920.tif 000008